(57)【要約】      （修正有）【課題】装置本体から取り外すことなく、容易にメンテナンス可能な長尺筐体を提供する。【解決手段】長手方向を第１方向に向けて、装置本体に収容される長尺筐体が、長尺筐体の第１の表面上に第１方向に沿って一列に並べて配置された、複数の第１ローラー１１０ａ〜１１０ｅ及び複数の第２ローラー１２０ａ〜１２０ｃと、長尺筐体の第２の表面上に第１方向に沿って一列に並べて配置された、複数の第３ローラー１１１ａ〜１１１ｅ及び複数の第４ローラー１２１ａ〜１２１ｃと、を備え、長尺筐体が、装置本体内に収容された第１の状態と、装置本体から第１方向に引き出された第２の状態との間で移動可能に支持される。【選択図】図６
2016193505.tif 000002
【特許請求の範囲】
【請求項１】
長手方向を第１方向に向けて、装置本体に収容される長尺筐体であって、
前記長尺筐体の第１の表面上に前記第１方向に沿って一列に並べて配置された、複数の第１ローラー及び複数の第２ローラーと、
前記長尺筐体の第２の表面上に前記第１方向に沿って一列に並べて配置された、複数の第３ローラー及び複数の第４ローラーと、
を備え、
前記各第１ローラー及び前記各第３ローラーは、前記第１方向と直交する第２方向に延びる回転軸を有し、該回転軸を中心に回転し、
前記各第２ローラー及び前記各第４ローラーは、前記第１方向及び前記第２方向に直交する第３方向に延びる回転軸を有し、該回転軸を中心に回転し、
前記第１の表面と前記第２の表面は、前記第２方向又は前記第３方向に平行であり、
前記長尺筐体が、前記装置本体内に収容された第１の状態と、前記装置本体から前記第１方向に引き出された第２の状態との間で移動可能に支持される
ことを特徴とする長尺筐体。
【請求項２】
前記第１方向から見たときに、前記各第１ローラーの回転軸と前記各第３ローラーの回転軸が同一直線上に配置されていることを特徴とする請求項１に記載の長尺筐体。
【請求項３】
前記第１方向から見たときに、前記各第１ローラーの回転軸と前記各第３ローラーの回転軸が異なる直線上に配置されていることを特徴とする請求項１に記載の長尺筐体。
【請求項４】
前記各第２ローラーのローラー面は、前記各第１ローラーのローラー面よりも前記第２方向に突出しており、前記各第４ローラーのローラー面は、前記各第３ローラーのローラー面よりも前記第２方向に突出していることを特徴とする請求項１から請求項３のいずれか一項に記載の長尺筐体。
【請求項５】
前記複数の第１ローラーと前記複数の第３ローラーは同数であり、前記複数の第２ローラーと前記複数の第４ローラーは同数であり、前記複数の第１ローラーと前記複数の第３ローラーは、前記長尺筐体を挟んで対称に配置され、前記複数の第２ローラーと前記複数の第４ローラーは、前記長尺筐体を挟んで対称に配置されていることを特徴とする請求項１から請求項４のいずれか一項に記載の長尺筐体。
【請求項６】
請求項１から請求項５のいずれか一項に記載の長尺筐体を備える長尺筐体の支持機構であって、
前記装置本体内に配置され、前記複数の第１ローラー及び前記複数の第２ローラーを収容して支持する第１のガイドレールと、
前記装置本体内に配置され、前記複数の第３ローラー及び前記複数の第４ローラーを収容して支持する第２のガイドレールと、
を備えることを特徴とする長尺筐体の支持機構。
【請求項７】
前記複数の第１ローラーと前記複数の第２ローラーの少なくともいずれか一方が前記第１のガイドレール内の内面に当接し、
前記複数の第３ローラーと前記複数の第４ローラーの少なくともいずれか一方が前記第２のガイドレール内の内面に当接していることを特徴とする請求項６に記載の長尺筐体の支持機構。
【請求項８】
装置本体に収容され、前記装置本体内の所定の照射面上に、第１方向に延び、かつ、前記第１方向と直交する第２方向に所定の線幅を有するライン状の光を照射する光照射装置であって、
基板と、
前記第１方向及び前記第２方向と直交する第３方向に光軸の向きを揃えて、前記基板上に前記第１方向に沿って所定間隔毎に並べて配置された複数の光源と、
前記基板及び複数の光源を収容する箱形のケースと、
前記ケースの第１の面上に前記第１方向に沿って一列に並べて配置された、複数の第１ローラー及び複数の第２ローラーと、
前記ケースの第２の面上に前記第１方向に沿って一列に並べて配置された、複数の第３ローラー及び複数の第４ローラーと、
を備え、
前記各第１ローラー及び前記各第３ローラーは、前記第２方向に延びる回転軸を有し、該回転軸を中心に回転し、
前記各第２ローラー及び前記各第４ローラーは、前記第３方向に延びる回転軸を有し、該回転軸を中心に回転し、
前記第１の面と前記第２の面は、前記第２方向又は前記第３方向に平行であり、
前記ケースが、前記装置本体内に収容された第１の状態と、前記装置本体から前記第１方向に引き出された第２の状態との間で移動可能に支持される
ことを特徴とする光照射装置。
【請求項９】
前記第１方向から見たときに、前記各第１ローラーの回転軸と前記各第３ローラーの回転軸が同一直線上に配置されていることを特徴とする請求項８に記載の光照射装置。
【請求項１０】
前記第１方向から見たときに、前記各第１ローラーの回転軸と前記各第３ローラーの回転軸が異なる直線上に配置されていることを特徴とする請求項８に記載の光照射装置。
【請求項１１】
前記各第２ローラーのローラー面は、前記各第１ローラーのローラー面よりも前記第２方向に突出しており、前記各第４ローラーのローラー面は、前記各第３ローラーのローラー面よりも前記第２方向に突出していることを特徴とする請求項８から請求項１０のいずれか一項に記載の光照射装置。
【請求項１２】
前記複数の第１ローラーと前記複数の第３ローラーは同数であり、前記複数の第２ローラーと前記複数の第４ローラーは同数であり、前記複数の第１ローラーと前記複数の第３ローラーは、前記ケースを挟んで対称に配置され、前記複数の第２ローラーと前記複数の第４ローラーは、前記ケースを挟んで対称に配置されていることを特徴とする請求項８から請求項１１のいずれか一項に記載の光照射装置。
【請求項１３】
前記装置本体が、前記複数の第１ローラー及び前記複数の第２ローラーを収容して支持する第１のガイドレールと、前記複数の第３ローラー及び前記複数の第４ローラーを収容して支持する第２のガイドレールと、を有することを特徴とする請求項８から請求項１２のいずれか一項に記載の光照射装置。
【請求項１４】
前記複数の第１ローラーと前記複数の第２ローラーの少なくともいずれか一方が前記第１のガイドレール内の内面に当接し、
前記複数の第３ローラーと前記複数の第４ローラーの少なくともいずれか一方が前記第２のガイドレール内の内面に当接していることを特徴とする請求項１３に記載の光照射装置。
【請求項１５】
前記複数の光源が、第１方向に沿ってＭ個（Ｍは、２以上の整数）、第２方向に沿ってＮ列（Ｎは、２以上の整数）に並ぶことを特徴とする請求項８から請求項１４のいずれか一項に記載の光照射装置。
【請求項１６】
前記光が、紫外線硬化型インキに作用する波長を含む光であることを特徴とする請求項８から請求項１５のいずれか一項に記載の光照射装置。
【発明の詳細な説明】
【技術分野】
【０００１】
本発明は、装置本体に組み込まれて用いられる長尺筐体（例えば、ライン状の光を照射する光照射装置、インクジェットヘッド等）と、その支持機構と、光照射装置に関する。
【背景技術】
【０００２】
従来、オフセット枚葉印刷やインクジェットプリンタに用いられるインキとして、紫外光の照射により硬化する紫外線硬化型インキが用いられている。このような紫外線硬化型インキの硬化には、一般に、紫外光を照射する紫外光照射装置が用いられるが、特に印刷の用途においては、印刷用紙の送り方向と直交する方向（つまり、用紙幅方向）に長く延びる照射領域を照射する必要があるため、ライン状の照射光を照射する、用紙幅方向に長尺な紫外光照射装置が用いられる。
【０００３】
紫外光照射装置としては、従来から高圧水銀ランプや水銀キセノンランプ等を光源とするランプ型照射装置が知られているが、近年、消費電力の削減、長寿命化、装置サイズのコンパクト化の要請から、従来の放電ランプに替えて、ＬＥＤを光源として利用した紫外光照射装置が開発されている。このような紫外光照射装置は、例えば特許文献１に記載されている。
【０００４】
特許文献１に記載の紫外光照射装置（紫外線照射部）は、複数の列状に複数の紫外線発光半導体素子を備えており、紫外線照射部の長手方向が印刷媒体の搬送方向に直交する方向（つまり、幅方向）に沿う姿勢で印刷装置に設置されている。この印刷装置は、ブラック（Ｋ）、シアン（Ｃ）、マゼンタ（Ｍ）、イエロー（Ｙ）の４色のＵＶインキにより印刷を行うように構成されているため、各色に対応する４つの印刷ユニットと、各インクを硬化させるための４つの紫外光照射装置を備えており、これらは印刷媒体を搬送するドラムの外周に沿って配置されている。
【先行技術文献】
【特許文献】
【０００５】
【特許文献１】特開２０１２−０５１３３５号公報
【発明の概要】
【発明が解決しようとする課題】
【０００６】
特許文献１に記載の各紫外光照射装置においては、印刷媒体に対して略垂直で、かつ高い照射強度の紫外光を照射することが望ましいため、出射面が印刷媒体に近接するように、印刷装置内で傾いた姿勢で位置決めし固定している。しかしながら、このような印刷装置に用いられる紫外光照射装置においては、インキの飛散やインキの硬化時のガスの発生によって出射面が汚れ、照射強度が低下するといった問題が発生するため、定期的なメンテナンスが必要とされるところ、特許文献１に記載の構成の場合、出射面と印刷媒体との間に十分な作業スペースがなく、各紫外光照射装置を印刷装置から取り外さないとメンテナンスができないといった問題があった。また、各紫外光照射装置を印刷装置から一旦取り外してしまうと、再度取り付けるためには煩雑な位置決め作業も必要となり、全ての紫外光照射装置についてメンテナンスを行うと、長時間を要し、印刷装置のダウンタイムが長くなるといった問題が生じていた。
【０００７】
本発明は、上記の事情に鑑みてなされたものであり、光照射装置のように装置本体に組み込まれて用いられる長尺筐体に関し、装置本体から取り外すことなく、容易にメンテナンス可能な長尺筐体と、それを備える長尺筐体の支持機構と、装置本体から取り外すことなく、容易にメンテナンス可能な光照射装置を提供することである。
【課題を解決するための手段】
【０００８】
上記目的を達成するため、本発明の長尺筐体は、長手方向を第１方向に向けて、装置本体に収容される長尺筐体であって、長尺筐体の第１の表面上に第１方向に沿って一列に並べて配置された、複数の第１ローラー及び複数の第２ローラーと、長尺筐体の第２の表面上に第１方向に沿って一列に並べて配置された、複数の第３ローラー及び複数の第４ローラーと、を備え、各第１ローラー及び各第３ローラーは、第１方向と直交する第２方向に延びる回転軸を有し、該回転軸を中心に回転し、各第２ローラー及び各第４ローラーは、第１方向及び第２方向に直交する第３方向に延びる回転軸を有し、該回転軸を中心に回転し、第１の表面と第２の表面は、第２方向又は第３方向に平行であり、長尺筐体が、装置本体内に収容された第１の状態と、装置本体から第１方向に引き出された第２の状態との間で移動可能に支持されることを特徴とする。
【０００９】
このような構成によれば、長尺筐体を装置本体から容易に引き出すことができるため、容易にメンテナンスを行うことが可能となる。
【００１０】
また、第１方向から見たときに、各第１ローラーの回転軸と各第３ローラーの回転軸が同一直線上に配置されるように構成することができる。
【００１１】
また、第１方向から見たときに、各第１ローラーの回転軸と各第３ローラーの回転軸が異なる直線上に配置されるように構成することができる。
【００１２】
また、各第２ローラーのローラー面は、各第１ローラーのローラー面よりも第２方向に突出しており、各第４ローラーのローラー面は、各第３ローラーのローラー面よりも第２方向に突出していることが望ましい。
【００１３】
また、複数の第１ローラーと複数の第３ローラーは同数であり、複数の第２ローラーと複数の第４ローラーは同数であり、複数の第１ローラーと複数の第３ローラーは、長尺筐体を挟んで対称に配置され、複数の第２ローラーと複数の第４ローラーは、長尺筐体を挟んで対称に配置されていることが望ましい。
【００１４】
また、別の観点からは、本発明の長尺筐体の支持機構は、上記に記載の長尺筐体と、装置本体内に配置され、複数の第１ローラー及び複数の第２ローラーを収容して支持する第１のガイドレールと、装置本体内に配置され、複数の第３ローラー及び複数の第４ローラーを収容して支持する第２のガイドレールと、を備えることを特徴とする。
【００１５】
また、長尺筐体の支持機構は、複数の第１ローラーと複数の第２ローラーの少なくともいずれか一方が第１のガイドレール内の内面に当接し、複数の第３ローラーと複数の第４ローラーの少なくともいずれか一方が第２のガイドレール内の内面に当接するように構成することができる。
【００１６】
また、さらに別の観点からは、本発明の光照射装置は、装置本体に収容され、装置本体内の所定の照射面上に、第１方向に延び、かつ、第１方向と直交する第２方向に所定の線幅を有するライン状の光を照射する光照射装置であって、基板と、第１方向及び第２方向と直交する第３方向に光軸の向きを揃えて、基板上に第１方向に沿って所定間隔毎に並べて配置された複数の光源と、基板及び複数の光源を収容する箱形のケースと、ケースの第１の面上に第１方向に沿って一列に並べて配置された、複数の第１ローラー及び複数の第２ローラーと、ケースの第２の面上に第１方向に沿って一列に並べて配置された、複数の第３ローラー及び複数の第４ローラーと、を備え、各第１ローラー及び各第３ローラーは、第２方向に延びる回転軸を有し、該回転軸を中心に回転し、各第２ローラー及び前記各第４ローラーは、第３方向に延びる回転軸を有し、該回転軸を中心に回転し、第１の面と第２の面は、第２方向又は第３方向に平行であり、ケースが、装置本体内に収容された第１の状態と、装置本体から第１方向に引き出された第２の状態との間で移動可能に支持されることを特徴とする。
【００１７】
また、このような光照射装置においては、装置本体が、複数の第１ローラー及び複数の第２ローラーを収容して支持する第１のガイドレールと、複数の第３ローラー及び複数の第４ローラーを収容して支持する第２のガイドレールと、を有することができる。
【００１８】
また、このような光照射装置においては、複数の光源が、第１方向に沿ってＭ個（Ｍは、２以上の整数）、第２方向に沿ってＮ列（Ｎは、２以上の整数）に並ぶように構成することができる。
【００１９】
また、このような光照射装置においては、光が、紫外線硬化型インキに作用する波長を含む光であることが望ましい。
【発明の効果】
【００２０】
以上のように、本発明によれば、装置本体から取り外すことなく、容易にメンテナンス可能な長尺筐体と、それを備える長尺筐体の支持機構と、装置本体から取り外すことなく、容易にメンテナンス可能な光照射装置が実現される。
【図面の簡単な説明】
【００２１】
【図１】本発明の実施形態に係る長尺筐体と、その支持機構を、光照射装置と、それが組み込まれたオフセット枚葉印刷装置に適用した場合の一例を示す図である。
【図２】本発明の実施形態に係る光照射装置の構成を説明する図である。
【図３】本発明の実施形態に係る光照射装置の各ＬＥＤユニットの構成を説明する図である。
【図４】本実施形態に係る光照射装置がオフセット枚葉印刷装置に取り付けられた状態を説明する図である。
【図５】本発明の実施形態に係る光照射装置の第１ローラー及び第２ローラーの構成を説明する図である。
【図６】本発明の実施形態に係る光照射装置がオフセット枚葉印刷装置に収容された状態と、Ｘ軸方向に引き出された状態を説明する図である。
【図７】本発明の実施形態に係る光照射装置の変形例を説明する図である。
【図８】本発明の実施形態に係る光照射装置の変形例を説明する図である。
【図９】本発明の実施形態に係る光照射装置の変形例を説明する図である。
【図１０】本発明の実施形態に係る光照射装置の変形例を説明する図である。
【図１１】本発明の実施形態に係る光照射装置の変形例を説明する図である。
【発明を実施するための形態】
【００２２】
以下、本発明の実施の形態について図面を参照して詳細に説明する。なお、図中同一又は相当部分には同一の符号を付してその説明は繰り返さない。
【００２３】
図１は、本発明の実施形態に係る長尺筐体と、その支持機構を、光照射装置１００と、それが組み込まれたオフセット枚葉印刷装置１に適用した場合の一例を示す図である。また、図２は、本発明の実施形態に係る光照射装置１００の構成を説明する図であり、図２（ａ）は、光照射装置１００をＺ軸方向から見た平面図であり、図２（ｂ）は、図２（ａ）のＢ−Ｂ断面図であり、図２（ｃ）は、図２（ａ）のＡ部拡大図である。図１に示すように、本実施形態の光照射装置１００は、オフセット枚葉印刷装置１に複数組み込まれて、各色の紫外線硬化型インキを硬化させる長尺筐体であり、印刷媒体Ｐに対してライン状の紫外光を出射する光源装置である。なお、本明細書においては、図２（ａ）の座標に示すように、後述するＬＥＤ素子１３３の配列方向（つまり、光照射装置１００の長手方向）をＸ軸方向、ＬＥＤ素子１３３が紫外光を出射する方向をＺ軸方向、ならびにＹ軸方向及びＺ軸方向に垂直な方向（つまり、光照射装置１００の短手方向）をＹ軸方向と定義して説明する。
【００２４】
図１に示すように、オフセット枚葉印刷装置１は、シート状の印刷媒体Ｐをオフセット枚葉印刷装置１内に供給するフィーダ部と、印刷媒体Ｐを搬送しつつ印刷媒体Ｐ上に印刷を行う印刷部と、印刷部で印刷された印刷媒体Ｐ´を揃えて収容するデリバリ部より構成されている。印刷部は、ブラック、シアン、マゼンタ、イエローの４色の紫外線硬化型インキを、印刷媒体Ｐ上にそれぞれ転写する印刷ユニット２０１、２０２、２０３、２０４と、各印刷ユニット２０１、２０２、２０３、２０４によって印刷媒体Ｐ上に転写された各色の紫外線硬化型インキを硬化させる４台の光照射装置１００を備えている。
【００２５】
図２に示すように、本実施形態の光照射装置１００は、Ｘ軸方向沿って９個、Ｙ軸方向に沿って５列の態様で並べられた４５個のＬＥＤユニット１３０と、ＬＥＤユニット１３０を収容する箱形のケース１０１等を備えている。そして、各ＬＥＤユニット１３０から出射された紫外光がケース１０１の一面に設けられたカバーガラス１０２を通して出射されるように構成されている。なお、図２（ｂ）中の一点鎖線は、各ＬＥＤユニット１３０の光軸を示しており、本実施形態の各ＬＥＤユニット１３０の光軸は、印刷媒体Ｐ上で交差するように構成されている（詳細は後述）。
【００２６】
図３は、各ＬＥＤユニット１３０の構成を説明する図である。図３（ａ）は、ＬＥＤユニット１３０をＺ軸方向から見た図であり、図３（ｂ）は、ＬＥＤユニット１３０をＹ軸方向から見た図であり、図３（ｃ）は、図３（ｂ）のＤ−Ｄ断面図である。図３に示すように、本実施形態のＬＥＤユニット１３０は、Ｘ軸方向に長く延びる金属製の板状のベースプレート１３１と、Ｘ軸方向に長く延びる基板１３２と、基板上に配置された１０個のＬＥＤ素子１３３と、各ＬＥＤ素子１３３の光路中に配置された第１レンズ１３５及び第２レンズ１３６と、Ｘ軸方向に長く延び、第１レンズ１３５を収容すると共に第２レンズ１３６を支持する断面（Ｙ軸方向の断面）Ｕ字状のレンズフレーム１３４とで構成される。
【００２７】
本実施形態の基板１３２には、１０個のＬＥＤ素子１３３が、Ｚ軸方向に光軸が揃えられた状態で、Ｘ軸方向に一列に所定の間隔を置いて配置され、基板１３２と電気的に接続されている。基板１３２は、不図示のＬＥＤ駆動回路に接続されており、各ＬＥＤ素子１３３には、基板１３２を介してＬＥＤ駆動回路からの駆動電流が供給されるようになっている。各ＬＥＤ素子１３３に駆動電流が供給されると、各ＬＥＤ素子１３３からは駆動電流に応じた光量の紫外光が出射され、ＬＥＤユニット１３０からはＸ軸方向に平行なライン状の紫外光が出射される。なお、本実施形態の各ＬＥＤ素子１３３は、略一様な光量の紫外光を出射するように各ＬＥＤ素子１３３に供給される駆動電流が調整されており、ＬＥＤユニット１３０から出射されるライン状の紫外光は、Ｘ軸方向において略均一な光量分布を有している。なお、本実施形態の各ＬＥＤ素子１３３は、略正方形の発光面（不図示）を備えており、ＬＥＤ駆動回路から駆動電流の供給を受けて、波長３６５ｎｍの紫外光を出射する。
【００２８】
第１レンズ１３５及び第２レンズ１３６は、ＬＥＤ素子１３３から出射された紫外光を、Ｘ軸方向に延び、Ｙ軸方向に所定の線幅を有する一本のライン状の紫外光に成形する部材である。
【００２９】
図３（ａ）〜（ｃ）に示すように、本実施形態の第１レンズ１３５は、平面の第１面（ＬＥＤ素子１３３側の面）と球面の第２面（第２レンズ１３６側の面）を有する円形の平凸レンズである。各第１レンズ１３５は、それぞれ同一の形状および光学特性を有しており、対応するＬＥＤ素子１３３の光路上に位置するように、断面Ｕ字状のレンズフレーム１３４の底部に収容されて固定されている。
【００３０】
ＬＥＤ素子１３３から出射される紫外光は、第１レンズ１３５の第１面に入射し、第２面から出射される。このようにＬＥＤ素子１３３から出射される紫外光が第１レンズ１３５を通ると、所定の拡がり角の紫外光に成形される。
【００３１】
第２レンズ１３６は、Ｘ軸方向とＹ軸方向とでそれぞれ異なる屈折力を有するトロイダルレンズであり、本実施形態においては、１０個の第２レンズ１３６をＸ軸方向に沿って連結した１０連モールドトロイダルレンズを採用している。第２レンズ１３６は、平面の第１面（第１レンズ１３５側の面）とトロイダル面の第２面（出射面）を有する、平面視矩形の平凸レンズである。各第２レンズ１３６は、それぞれ同一の形状および光学特性を有しており、対応するＬＥＤ素子１３３の光路上に位置するように、断面Ｕ字状のレンズフレーム１３４の先端部に支持されて固定されている。
【００３２】
ＬＥＤ素子１３３から出射され、第１レンズ１３５を透過した紫外光は、第２レンズ１３６の第１面に入射し、Ｘ軸方向及びＹ軸方向にそれぞれ集光されて、第２面から出射される。そして、各第２レンズ１３６から出射された紫外光は、隣接する第２レンズ１３６から出射された紫外光とＸ軸方向において重なり合い、ＬＥＤユニット１３０からは、Ｘ軸方向に延び、Ｙ軸方向に所定の線幅を有する一本のライン状の紫外光が出射される。
【００３３】
図２（ａ）に示すように、本実施形態においては、９個のＬＥＤユニット１３０が、Ｘ軸方向に沿って連続するように密着して配置されている。Ｘ軸方向沿って並ぶ９個のＬＥＤユニット１３０から出射された各紫外光は、上述したように、隣接するＬＥＤユニット１３０との継ぎ目部分において、Ｘ軸方向に重なり合うため、Ｘ軸方向沿って並ぶ９個のＬＥＤユニット１３０（つまり、各列の９個のＬＥＤユニット１３０）からは、Ｘ軸方向に連続して延び、Ｙ軸方向に所定の線幅を有する一本のライン状の紫外光が出射される。
【００３４】
図２（ｂ）に示すように、本実施形態においては、この９個のＬＥＤユニット１３０を１列として、Ｙ軸方向に沿って５列のＬＥＤユニット１３０が配置されているため、本実施形態の光照射装置１００からは５本のライン状の紫外光が出射されることとなるが、Ｙ軸方向に並ぶ５列のＬＥＤユニット１３０を円弧状に配置することで、各列のＬＥＤユニット１３０から出射されるライン状の紫外光が、印刷媒体Ｐ上で互いに重なり合うように構成している。
【００３５】
ケース１０１は、その内部に、Ｘ軸方向に沿って長く延び、Ｚ軸方向に対して円弧状に窪む円弧面を有する金属性の支持部材１５０と、それぞれＸ軸方向に沿って長く延び、支持部材１５０の円弧面上にＹ軸方向に沿って並ぶ５本の金属製の冷却パイプ１４０とを備えている。そして、各列の９個のＬＥＤユニット１３０が、各冷却パイプ１４０上に固定されることにより、５列のＬＥＤユニット１３０が円弧状に配置され、各列のＬＥＤユニット１３０から出射されるライン状の紫外光が、印刷媒体Ｐ上で互いに重なり合うように構成されている。このように、各列のＬＥＤユニット１３０から出射されるライン状の紫外光が、印刷媒体Ｐ上で互いに重なり合うように構成すると、印刷媒体Ｐ上に転写される紫外線硬化型インキに対して、均一で、かつ高い照射強度の紫外光を照射することができる。このため、印刷媒体Ｐ上の紫外線硬化型インキをムラなく硬化させることができる。なお、各冷却パイプ１４０の内部には、冷却水が流れる水路１４２が形成されており、各水路１４２に接続された冷却水供給手段（不図示）から冷却水が供給されることにより、各列の９個のＬＥＤユニット１３０が、冷却されるようになっている。また、図２（ｃ）に示すように、本実施形態においては、Ｙ軸方向に沿って並ぶ各列のＬＥＤユニット１３０が、基板１３２上のＬＥＤ素子１３３の間隔の１／５に相当する分だけ、順にＸ軸方向に沿ってシフトするように配置している。このように各列のＬＥＤユニット１３０をＸ軸方向に沿ってシフトすると、各ＬＥＤ素子１３３がＸ軸方向に対して均等に配置されることとなるため、印刷媒体Ｐ上で重ね合わされた紫外光の照射強度は、Ｘ軸方向に略均一なものとなる。このように、本実施形態の光照射装置１００からは、均一で、かつ高い照射強度の紫外光が照射される。
【００３６】
上述したように、本実施形態に係る光照射装置１００は、オフセット枚葉印刷装置１に組み込まれて、印刷媒体Ｐ上の紫外線硬化型インキを硬化させるための装置である。従って、通常、印刷媒体Ｐに対して、できる限り高い照射強度の紫外光を照射することができるように、各光照射装置１００は、印刷媒体Ｐに近接して配置される。しかしながら、各光照射装置１００を印刷媒体Ｐに近接して配置すると、紫外線硬化型インキの飛散やインキの硬化時のガスの発生によってカバーガラス１０２が汚れ、照射強度が低下するといった問題が発生するため、カバーガラス１０２の拭き取り等、定期的なメンテナンスが必要となる。このようなメンテナンスは、カバーガラス１０２周辺に十分な作業スペースがあれば、容易に行うことができるが、本実施形態に係る光照射装置１００のように、各光照射装置１００を印刷媒体Ｐに近接して配置しなければならない状況においては、カバーガラス１０２周辺に十分な作業スペースが確保することが困難である。そこで、本実施形態においては、オフセット枚葉印刷装置１内の各光照射装置１００をＸ軸方向に引き出し可能に構成することによって、かかる問題を解決している。
【００３７】
図４は、本実施形態に係る光照射装置１００がオフセット枚葉印刷装置１に取り付けられた状態を説明する図であり、図１中最も右側に位置する光照射装置１００の取り付け状態をＸ軸方向から見たときの様子を示している。図２（ａ）及び図４に示すように、本実施形態の光照射装置１００は、ケース１０１の側面パネル１０１ａ上に、Ｘ軸方向に沿って一列に並ぶ、５個の第１ローラー１１０ａ〜１１０ｅと、３個の第２ローラー１２０ａ〜１２０ｃとを備えている。各第１ローラー１１０ａ〜１１０ｅは、Ｙ軸方向に延びる回転軸１１０ａｘ〜１１０ｅｘ（図４において、回転軸１１０ａｘ〜ｄｘは不図示）をそれぞれ有し、それを中心に回転する回転部材である。また、各第２ローラー１２０ａ〜１２０ｃは、Ｚ軸方向に延びる回転軸１２０ａｘ〜１２０ｃｘ（図４において不図示）をそれぞれ有し、それを中心に回転する回転部材である。そして、第１ローラー１１０ａ〜１１０ｅと第２ローラー１２０ａ〜１２０ｃは、オフセット枚葉印刷装置１内に設けられたガイドレール１０に嵌まり込む（収容される）ように構成されている。
【００３８】
また、図２（ａ）及び図４に示すように、本実施形態の光照射装置１００は、側面パネル１０１ａに平行な側面パネル１０１ｂ上に、Ｘ軸方向に沿って一列に並ぶ、５個の第３ローラー１１１ａ〜１１１ｅと、３個の第４ローラー１２１ａ〜１２１ｃとを備えている。各第３ローラー１１１ａ〜１１１ｅは、Ｙ軸方向に延びる回転軸１１１ａｘ〜１１１ｅｘ（図４において、回転軸１１１ａｘ〜ｄｘは不図示）をそれぞれ有し、それを中心に回転する回転部材である。また、各第４ローラー１２１ａ〜１２１ｃは、Ｚ軸方向に延びる回転軸１２１ａｘ〜１２１ｃｘ（図４において不図示）をそれぞれ有し、それを中心に回転する回転部材である。そして、第３ローラー１１１ａ〜１１１ｅと第４ローラー１２１ａ〜１２１ｃは、オフセット枚葉印刷装置１内に設けられたガイドレール１１に嵌まり込む（収容される）ように構成されている。なお、本実施形態においては、第１ローラー１１０ａ〜１１０ｅと第３ローラー１１１ａ〜１１１ｅとが、ケース１０１を挟んで対称な位置に配置され、第２ローラー１２０ａ〜１２０ｃと第４ローラー１２１ａ〜１２１ｃとが、ケース１０１を挟んで対称な位置に配置されている（図２（ａ））。
【００３９】
図４に示すように、本実施形態においては、Ｘ軸方向から見たときに、各第１ローラー１１０ａ〜１１０ｅの回転軸１１０ａｘ〜１１０ｅｘと、各第３ローラー１１１ａ〜１１１ｅの回転軸１１１ａｘ〜１１１ｅｘとが同一直線上に配置されるようになっており、ガイドレール１０とガイドレール１１は、Ｙ軸方向に沿って光照射装置１００の両端に配置されている。なお、図４に示すように、本実施形態のガイドレール１０及びガイドレール１１は、Ｙ軸方向及びＺ軸方向の２方向の荷重を受けるため、略コの字状の断面を有している。また、光照射装置１００のように重量物で、かつ長尺な物品を支持する場合、ガイドレール１０及びガイドレール１１が変形し、第１ローラー１１０ａ〜１１０ｅ、第２ローラー１２０ａ〜１２０ｃ、第３ローラー１１１ａ〜１１１ｅ及び第４ローラー１２１ａ〜１２１ｃが、ガイドレール１０及びガイドレール１１から外れてしまう危険性があるため、本実施形態のガイドレール１０及びガイドレール１１においては、ガイドレール１０の側面部１０ｂ、１０ｄ、及びガイドレール１１の側面部１１ｂ、１１ｄの先端部を内側に折り曲げ、断面略Ｃ字状となるように構成している。また、側面部１０ｂ、１０ｄのいずれか一方の先端、側面部１１ｂ、１１ｄのいずれか一方の先端を内側に折り曲げ、断面略Ｊ字状となるように構成してもよい。
【００４０】
このように、第１ローラー１１０ａ〜１１０ｅと第２ローラー１２０ａ〜１２０ｃがガイドレール１０に収容され、第３ローラー１１１ａ〜１１１ｅと第４ローラー１２１ａ〜１２１ｃがガイドレール１１に収容されることで、本実施形態の光照射装置１００は、ガイドレール１０、１１に沿ってＸ軸方向に移動可能に支持される。そして、光照射装置１００が、ガイドレール１０、１１に沿ってオフセット枚葉印刷装置１内に収容されたとき（つまり、図４の状態のとき）、光照射装置１００のカバーガラス１０２が、印刷媒体Ｐに対向し、光照射装置１００から出射した紫外光（図４中、一点鎖線で示す）が、印刷媒体Ｐ上に集光するように位置決めされる。また、光照射装置１００が、ガイドレール１０、１１に沿ってオフセット枚葉印刷装置１から引き出されたとき、光照射装置１００の出射面（つまり、カバーガラス１０２）が外部に完全に露出し、光照射装置１００のメンテナンスを行うことが可能になっている。以下、第１ローラー１１０ａ〜１１０ｅ、第２ローラー１２０ａ〜１２０ｃ、第３ローラー１１１ａ〜１１１ｅ、第４ローラー１２１ａ〜１２１ｃ、及びガイドレール１０、１１によって構成される、光照射装置１００の支持機構について詳細に説明する。
【００４１】
図５は、本実施形態の第１ローラー１１０ａ〜１１０ｅ、第２ローラー１２０ａ〜１２０ｃ、第３ローラー１１１ａ〜１１１ｅ及び第４ローラー１２１ａ〜１２１ｃの構成を説明する図である。図５（ａ）は、図２のＣ部拡大図であり、第１ローラー１１０ｃ及び第２ローラー１２０ｂをＹ軸方向から見たときの図である。また、図５（ｂ）は、図５（ａ）の第１ローラー１１０ｃ及び第２ローラー１２０ｂをＺ軸方向から見たときの図である。また、図６は、光照射装置１００がオフセット枚葉印刷装置１に収容された状態（第１の状態）と、Ｘ軸方向に引き出された状態（第２の状態）を説明する図である。図６（ａ）及び（ｂ）は、光照射装置１００がオフセット枚葉印刷装置１に収納された状態を示す図であり、図６（ａ）は、図４の光照射装置１００をＺ軸方向（ケース１０１の裏面側）から見た図であり、図６（ｂ）は、図４の光照射装置１００をＹ軸方向（ケース１０１の側面パネル１０１ａ側）から見た図である。図６（ｃ）及び（ｄ）は、光照射装置１００がオフセット枚葉印刷装置１から引き出された状態を示す図であり、図６（ｃ）は、図４の光照射装置１００をＺ軸方向（ケース１０１の裏面側）から見た図であり、図６（ｄ）は、図４の光照射装置１００をＹ軸方向（ケース１０１の側面パネル１０１ａ側）から見た図である。
【００４２】
図５に示すように、第１ローラー１１０ｃは、ケース１０１の側面パネル１０１ａからＹ軸方向に延びる回転軸１１０ｃｘを中心に回転する回転部材である。また、第２ローラー１２０ｂは、ケース１０１の側面パネル１０１ａからＹ軸方向に突出し、Ｚ軸方向に平行に並ぶ１対の回転軸支持部材１０３ａ、１０３ｂによって支持される回転軸１２０ｂｘを中心に回転する回転部材である。図５（ａ）に示すように、第２ローラー１２０ｂのローラー面は、第１ローラー１１０ｃのローラー面よりもＹ軸方向に僅かに突出しており、後述するガイドレール１０の底面部１０ｃの内面と当接可能に構成されている。また、図５（ｂ）に示すように、第１ローラー１１０ｃのローラー面の直径は、回転軸支持部材１０３ａ、１０３ｂの間隔よりも十分に大きく、後述するガイドレール１０の一対の側面部１０ｂ、１０ｄのいずれか一方の内面と当接可能に構成されている。そして、光照射装置１００がＸ軸方向に移動するとき、第１ローラー１１０ｃ又は第２ローラー１２０ｂがガイドレール１０の内面に当接した状態で回転することにより、光照射装置１００の移動をサポートする（つまり、移動を容易にする）。光照射装置１００の各第１ローラー１１０ａ〜１１０ｅは、Ｘ軸方向における位置が異なるのみであり、その構成自体は同じであるので、第１ローラー１１０ｃ以外の説明は省略する。また、各第３ローラー１１１ａ〜１１１ｅは、各第１ローラー１１０ａ〜１１０ｅと取付面のみが異なるものであり、その構成自体は各第１ローラー１１０ａ〜１１０ｅと同じであるので、各第３ローラー１１１ａ〜１１１ｅの説明は省略する。また、同様に、各第２ローラー１２０ａ〜１２０ｃは、Ｘ軸方向における位置が異なるのみであり、その構成自体は同じであるので、第２ローラー１２０ｂ以外の説明は省略する。また、各第４ローラー１２１ａ〜１２１ｃは、各第２ローラー１２０ａ〜１２０ｃと取付面のみが異なるものであり、その構成自体は各第２ローラー１２０ａ〜１２０ｃと同じであるので、各第４ローラー１２１ａ〜１２１ｃの説明は省略する。
【００４３】
図４及び図６に示すように、本実施形態の光照射装置１００が取り付けられるオフセット枚葉印刷装置１の内部には、第１ローラー１１０ａ〜１１０ｅ及び第２ローラー１２０ａ〜１２０ｃを支持するガイドレール１０と、第３ローラー１１１ａ〜１１１ｅ及び第４ローラー１２１ａ〜１２１ｃを支持するガイドレール１１とが、オフセット枚葉印刷装置１の前面パネル５から背面パネル６にわたってＸ軸方向に沿って設けられている。ガイドレール１０及びガイドレール１１は、光照射装置１００出射面と略同じ長さの部材であり、Ｘ軸方向に平行に配置されている（図６）。また、前面パネル５には、光照射装置１００を挿抜するための開口５ａが形成されている。
【００４４】
図４に示すように、ガイドレール１０は、一対の側面部１０ｂ、１０ｄと底面部１０ｃとからなる、Ｙ−Ｚ平面の断面がＣ型の矩形筒状の部材であり、その開口部１０ａには、各第２ローラー１２０ａ〜１２０ｃの回転軸１２０ａｘ〜１２０ｃｘを支持する回転軸支持部材１０３ａ、１０３ｂ、及び第１ローラー１１０ａ〜１１０ｅの回転軸１１０ａｘ〜１１０ｅｘ（図４において、回転軸１１０ａｘ〜ｄｘは不図示）が通り、内部（つまり、筒内）には、第１ローラー１１０ａ〜１１０ｅ及び第２ローラー１２０ａ〜１２０ｃが収容される。また、同様に、ガイドレール１１は、Ｙ−Ｚ平面の断面がＣ型の矩形筒状の部材であり、その開口部１１ａには、各第４ローラー１２１ａ〜１２１ｃの回転軸１２１ａｘ〜１２１ｃｘを支持する回転軸支持部材１０３ａ、１０３ｂ、及び第３ローラー１１１ａ〜１１１ｅの回転軸１１１ａｘ〜１１１ｅｘ（図４において、回転軸１１１ａｘ〜ｄｘは不図示）が通り、内部（つまり、筒内）には、第３ローラー１１１ａ〜１１１ｅ及び第４ローラー１２１ａ〜１２１ｃが収容される。そして、光照射装置１００が、ガイドレール１０、１１に沿ってオフセット枚葉印刷装置１内に収容されたとき（つまり、図４、図６（ａ）、図６（ｂ）の状態のとき）、第１ローラー１１０ａ〜１１０ｅと第２ローラー１２０ａ〜１２０ｃの少なくともいずれか一方のローラー面とガイドレール１０の内面が当接し、また第３ローラー１１１ａ〜１１１ｅと第４ローラー１２１ａ〜１２１ｃの少なくともいずれか一方のローラー面とガイドレール１１の内面が当接し、この状態で光照射装置１００が位置決めされるようになっている。例えば、図４の光照射装置１００は、紫外光が右斜め下向きに出射されるような姿勢で取り付けられているが、このような姿勢で取り付けられた場合、光照射装置１００の自重によって、下側（つまり、側面パネル１０１ｂ上）の第３ローラー１１１ａ〜１１１ｅが下側のガイドレール１１の側面部１１ｂの内面に当接するとともに、第４ローラー１２１ａ〜１２１ｃが下側のガイドレール１１の底面部１１ｃの内面に当接し、また上側（つまり、側面パネル１０１ａ上）の第１ローラー１１０ａ〜１１０ｅが上側のガイドレール１０の側面部１０ｂの内面に当接することで位置決めされて取り付けられる。
【００４５】
上述のように、本実施形態の光照射装置１００は、ガイドレール１０、１１に沿ってＸ軸方向に移動可能に支持されており、ケース１０１の端部に設けられた把手１０４（図２（ａ））をＸ軸方向に引くことにより、開口５ａを通して、オフセット枚葉印刷装置１から引き出すことが可能になっている（図６（ｃ）、（ｄ））。上述のように、本実施形態においては、光照射装置１００の取り付け姿勢（つまり、取り付け角度）に拘わらず、ガイドレール１０の内面には第１ローラー１１０ａ〜１１０ｅ又は第２ローラー１２０ａ〜１２０ｃの少なくともいずれか一方が当接し、ガイドレール１１の内面には第３ローラー１１１ａ〜１１１ｅ又は第４ローラー１２１ａ〜１２１ｃの少なくともいずれか一方が当接する構成になっている。このため、ケース１０１の把手１０４をＸ軸方向に引くと、ガイドレール１０の内面に当接している、第１ローラー１１０ａ〜１１０ｅ又は第２ローラー１２０ａ〜１２０ｃの少なくともいずれか一方、及びガイドレール１１に当接している第３ローラー１１１ａ〜１１１ｅ又は第４ローラー１２１ａ〜１２１ｃの少なくともいずれか一方が回転する。このため、光照射装置１００を小さい負荷で容易に引き出すことができる。
【００４６】
このように、本実施形態の光照射装置１００は、側面パネル１０１ａ上に第１ローラー１１０ａ〜１１０ｅと第２ローラー１２０ａ〜１２０ｃとを備え、側面パネル１０１ｂ上に第３ローラー１１１ａ〜１１１ｅと第４ローラー１２１ａ〜１２１ｃとを備えている。また、光照射装置１００が組み込まれるオフセット枚葉印刷装置１側には、第１ローラー１１０ａ〜１１０ｅ及び第２ローラー１２０ａ〜１２０ｃが収容されるガイドレール１０と、第３ローラー１１１ａ〜１１１ｅ及び第４ローラー１２１ａ〜１２１ｃが収容されるガイドレール１１とが設けられている。そして、このような構成によって、光照射装置１００の取り付け姿勢（つまり、取り付け角度）に拘わらず、第１ローラー１１０ａ〜１１０ｅ又は第２ローラー１２０ａ〜１２０ｃの少なくともいずれか一方がガイドレール１０の内面に当接し、第３ローラー１１１ａ〜１１１ｅ又は第４ローラー１２１ａ〜１２１ｃの少なくともいずれか一方がガイドレール１１の内面に当接するようになっている。そして、このような構成によって、光照射装置１００をオフセット枚葉印刷装置１内に確実に位置決めすると共に、さらにＸ軸方向に沿ってスムーズに挿抜することが可能なものとしている。このように、本実施形態の光照射装置１００は、オフセット枚葉印刷装置１から引き出すことができるため、カバーガラス１０２の拭き取り等、光照射装置１００に必要なメンテナンスを容易に行うことができる。
【００４７】
以上が、本発明の実施形態の一例の説明であるが、本発明は、上記の実施形態の構成に限定されるものではなく、特許請求の範囲の記載によって表現された技術的思想の範囲内において様々な変形が可能である。例えば、上記の実施形態においては、装置本体に組み込まれて用いられる長尺筐体の一例として、オフセット枚葉印刷装置１に組み込まれる光照射装置１００を挙げたが、本発明は、このような用途及び装置に限定されるものではなく、プリンタに組み込まれて用いられるインクジェットヘッドやイオナイザ（帯電除去装置）、コロナ処理器（親水化処理器）に組み込まれて用いられる高周波高電圧放電電極、洗浄、冷却、加湿、塗布、除電用装置に組み込まれるスプレーノズル、水切り乾燥又は熱風加熱用装置に組み込まれるエアーブローノズル（例えば、スリットノズル、エアナイフ）、ラミネート装置に用いられるドライヤやコロナ装置、また様々な装置本体に組み込まれて用いられるヒーター、計測器（例えば、光強度計、温度・湿度計、距離計）、カメラ、スキャナー、トナーボックス、ＵＶ光源、電子線照射装置等、に適用することができる。
【００４８】
また、本実施形態の光照射装置１００からは、紫外光が出射されるものとしたが、必ずしも紫外光に限定されるものではなく、例えば、白色光を出射する光照射装置等、他の用途の照射装置にも本発明を適用することができる。
【００４９】
また、本実施形態の光照射装置１００においては、Ｙ軸方向に並ぶ５列のＬＥＤユニット１３０を円弧状に配置し、各列のＬＥＤユニット１３０から出射されるライン状の紫外光が、印刷媒体Ｐ上で互いに重なり合うように構成したが、このような構成に限定されるものではない。例えば、図７に示すように、冷却パイプ１４０が配置される支持部材１５０Ａの表面を平面とし、各列のＬＥＤユニット１３０の光軸がＺ軸方向に平行となるように並べてもよい。このような構成によれば、光照射装置１００Ａからは、Ｚ軸に対して略平行な幅広の紫外光が出射され、印刷媒体Ｐ上の所定のエリアが露光される。また、図８に示すように、冷却パイプ１４０が配置される支持部材１５０Ｂの表面を円弧状に突出させ、各列のＬＥＤユニット１３０の光軸がＺ軸方向に対して開くように並べてもよい。このような構成によれば、光照射装置１００Ｂからは、図７の光照射装置１００Ａに比較して、さらに幅広の紫外光が出射され、印刷媒体Ｐ上の所定のエリアが露光される。
【００５０】
また、本実施形態においては、本実施形態においては、第１ローラー１１０ａ〜１１０ｅと第３ローラー１１１ａ〜１１１ｅとが、ケース１０１を挟んで対称な位置に配置され、第２ローラー１２０ａ〜１２０ｃと第４ローラー１２１ａ〜１２１ｃとが、ケース１０１を挟んで対称な位置に配置されているとしたが、このような構成に限定されるものではない。第１ローラー１１０ａ〜１１０ｅと第３ローラー１１１ａ〜１１１ｅとが、ケース１０１を挟んで非対称な位置に配置されてもよく、また第２ローラー１２０ａ〜１２０ｃと第４ローラー１２１ａ〜１２１ｃとが、ケース１０１を挟んで非対称な位置に配置されてもよい。また、第１ローラー１１０ａ〜１１０ｅと第３ローラー１１１ａ〜１１１ｅの数は、必ずしも５個である必要はなく、また同じである必要もない。第１ローラー１１０ａ〜１１０ｅと第３ローラー１１１ａ〜１１１ｅの数は、光照射装置１００の長さに応じて適宜変更できる。また、同様に、第２ローラー１２０ａ〜１２０ｃと第４ローラー１２１ａ〜１２１ｃの数は、必ずしも３個である必要はなく、また同じである必要もない。第２ローラー１２０ａ〜１２０ｃと第４ローラー１２１ａ〜１２１ｃの数は、光照射装置１００の長さに応じて適宜変更できる。
【００５１】
また、本実施形態においては、Ｘ軸方向から見たときに、各第１ローラー１１０ａ〜１１０ｅの回転軸１１０ａｘ〜１１０ｅｘと、各第３ローラー１１１ａ〜１１１ｅの回転軸１１１ａｘ〜１１１ｅｘとが同一直線上に配置され、ガイドレール１０とガイドレール１１が、光照射装置１００の両端にＹ軸方向に沿って配置されるものとしたが、このような構成に限定されるものではない。例えば、図９に示す変形例に係る光照射装置１００Ｃのように、各第１ローラー１１０ａ〜１１０ｅの回転軸１１０ａｘ〜１１０ｅｘと、各第３ローラー１１１ａ〜１１１ｅの回転軸１１１ａｘ〜１１１ｅｘとが、Ｙ軸方向に平行な異なる直線上に配置されてもよい。この場合、ガイドレール１０とガイドレール１１が、Ｚ軸方向に対して異なる位置に配置されることとなるが、本実施形態と同様の作用効果を生じさせる。
【００５２】
また、本実施形態においては、ケース１０１の側面パネル１０１ａ上に、第１ローラー１１０ａ〜１１０ｅと第２ローラー１２０ａ〜１２０ｃとを配置し、側面パネル１０１ｂ上に、第３ローラー１１１ａ〜１１１ｅと第４ローラー１２１ａ〜１２１ｃとを配置する構成としたが、このような構成に限定されるものではない。例えば、図１０に示す変形例に係る光照射装置１００Ｄのように、ケース１０１の背面に、Ｘ軸方向に沿って延びるＸ−Ｙ平面の断面がＵ字状のローラー固定部材１０５を設け、ローラー固定部材１０５の壁面１０５ａ上に第１ローラー１１０ａ〜１１０ｅと第２ローラー１２０ａ〜１２０ｃとを配置し、ローラー固定部材１０５の壁面１０５ｂ上に第３ローラー１１１ａ〜１１１ｅと第４ローラー１２１ａ〜１２１ｃとを配置することもできる。
【００５３】
また、本実施形態においては、ガイドレール１０とガイドレール１１は、別々の部材として構成したが、図１０に示すように、平板の金属製のプレート１２の両端を折り曲げて、ガイドレール１０及びガイドレール１１を一体的に構成することもできる。
【００５４】
また、本実施形態においては、ケース１０１の側面パネル１０１ａ上に、第１ローラー１１０ａ〜１１０ｅと第２ローラー１２０ａ〜１２０ｃとを配置し、側面パネル１０１ｂ上に、第３ローラー１１１ａ〜１１１ｅと第４ローラー１２１ａ〜１２１ｃとを配置し、ガイドレール１０とガイドレール１１によって、Ｙ軸方向側から光照射装置１００を支持する構成としたが、このような構成に限定されるものではない。例えば、図１１に示す変形例に係る光照射装置１００Ｅのように、ケース１０１をＹ軸方向に延ばし、ケース１０１の前面に第１ローラー１１０ａ〜１１０ｅと第２ローラー１２０ａ〜１２０ｃとを配置し、ケース１０１の背面に第３ローラー１１１ａ〜１１１ｅと第４ローラー１２１ａ〜１２１ｃとを配置し、ガイドレール１０とガイドレール１１によって、Ｚ軸方向側から光照射装置１００を支持する構成とすることもできる。
【００５５】
なお、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００５６】
１  オフセット枚葉印刷装置
５  前面パネル
５ａ  開口
６  背面パネル
１０、１１  ガイドレール
１０ａ  開口部
１０ｂ  側面部
１０ｃ  底面部
１２  プレート
１００  光照射装置
１０１  ケース
１０１ａ、１０１ｂ  側面パネル
１０２  カバーガラス
１０３ａ、１０３ｂ  回転軸支持部材
１０４  把手
１１０ａ、１１０ｂ、１１０ｃ、１１０ｄ、１１０ｅ  第１ローラー
１１０ａｘ、１１０ｂｘ、１１０ｃｘ、１１０ｄｘ、１１０ｅｘ  回転軸
１１１ａ、１１１ｂ、１１１ｃ、１１１ｄ、１１１ｅ  第３ローラー
１１１ａｘ、１１１ｂｘ、１１１ｃｘ、１１１ｄｘ、１１１ｅｘ  回転軸
１２０ａ、１２０ｂ、１２０ｃ  第２ローラー
１２０ａｘ、１２０ｂｘ、１２０ｃｘ  回転軸
１２１ａ、１２１ｂ、１２１ｃ  第４ローラー
１２１ａｘ、１２１ｂｘ、１２１ｃｘ  回転軸
１３０  ＬＥＤユニット
１３１  ベースプレート
１３２  基板
１３３  ＬＥＤ素子
１３４  レンズフレーム
１３５  第１レンズ
１３６  第２レンズ
１４０  冷却パイプ
１４２  水路
１５０  支持部材
２０１、２０２、２０３、２０４  印刷ユニット
【図１】
2016193505.tif 000003
【図２】
2016193505.tif 000004
【図３】
2016193505.tif 000005
【図４】
2016193505.tif 000006
【図５】
2016193505.tif 000007
【図６】
2016193505.tif 000008
【図７】
2016193505.tif 000009
【図８】
2016193505.tif 000010
【図９】
2016193505.tif 000011
【図１０】
2016193505.tif 000012
【図１１】
2016193505.tif 000013